(57)【要約】【課題】レンズを固定する接着剤が温度変化により伸縮した場合にも、レンズの変形や姿勢変化を抑制する。【解決手段】レンズ取り付け構造１が、レンズ２のフランジ２ｃ以上の大きさの平面形状を有するレンズ挿入穴３と、レンズ挿入穴３の内周面から内側に突出しフランジ２ｃの下面に当接するフランジ載置面４ａを含むフランジ載置部４と、レンズ挿入穴３の内周面の上端の、平面的に見てフランジ載置部４と異なる位置に、レンズ挿入穴３の外側に向かって部分的に切り欠いて形成された段部からなり、接着剤６が供給される接着剤保持面５ａを含む接着剤保持部５とを有する。接着剤保持面５ａはフランジ載置面４ａ以下の高さに位置している。接着剤保持部５は、フランジ２の各面と当接または近接対向する面を有していない。接着剤保持部５は、平面的に見てフランジ載置部４に対して間隔をおいて設けられている。【選択図】図２
2008077703.tif 000002
【特許請求の範囲】
【請求項１】
レンズ曲面の外周にフランジが形成されたレンズが搭載され、接着剤により固着されるレンズ取り付け構造において、
前記レンズを挿入可能なレンズ挿入穴と、
前記レンズ挿入穴の内周面から前記レンズ挿入穴の内側に向かって部分的に突出し、前記フランジの下面に当接するフランジ載置面を含むフランジ載置部と、
前記レンズ挿入穴の内周面の上端の、平面的に見て前記フランジ載置部と異なる位置において、前記レンズ挿入穴の外側に向かって部分的に切り欠くことによって形成された段部からなり、前記接着剤が供給される接着剤保持面を含む接着剤保持部と、
を有し、
前記接着剤保持面は前記フランジ載置面以下の高さに位置している
ことを特徴とするレンズ取り付け構造。
【請求項２】
前記接着剤保持部は、前記フランジの下面および外周面と当接または近接対向する面を有していない、請求項１に記載のレンズ取り付け構造。
【請求項３】
複数の前記フランジ載置部と複数の前記接着剤保持部を有する、請求項１または２に記載のレンズ取り付け構造。
【請求項４】
複数の前記フランジ載置部は、前記レンズ挿入穴の内周に等間隔に形成されており、
複数の前記接着剤保持部は、前記レンズ挿入穴の内周に等間隔に形成されている、請求項３に記載のレンズ取り付け構造。
【請求項５】
前記接着剤保持部は、前記フランジの下面が前記フランジ載置面に当接した状態で、前記接着剤を、前記フランジの外周面に接触させるとともに前記フランジ載置部に流れ込まないように保持するように、平面的に見て前記フランジ載置部に対して間隔をおいて設けられている、請求項１から４のいずれか１項に記載のレンズ取り付け構造。
【請求項６】
請求項１から５のいずれか１項に記載のレンズ取り付け構造を備えている、レンズホルダ。
【請求項７】
請求項１から５のいずれか１項に記載のレンズ取り付け構造と、前記レンズとを備えている、光ヘッド。
【請求項８】
前記レンズはコリメータレンズであり、前記レンズ取り付け構造はハウジングに形成されている、請求項７に記載の光ヘッド。
【請求項９】
請求項８に記載の光ヘッドを備えている、光記録再生装置。
【発明の詳細な説明】
【技術分野】
【０００１】
本発明は、光ディスク等の光記録媒体にデータの記録または再生を行う光ヘッドと、この光ヘッドに内蔵されているレンズ取り付け構造および／またはレンズホルダと、この光ヘッドを備えた光記録再生装置に関する。
【背景技術】
【０００２】
光記録媒体であるＣＤ（Compact disk）やＤＶＤ（digital versatile disk）の記録や再生に用いられる光記録再生装置の光ヘッドでは、ハウジングに、レンズやレーザダイオードやフォトディテクタや偏光ビームスプリッタ等の光学部品が搭載されている。これらの光学部品は、それぞれの光軸を所望の位置に正確に合わせる必要がある。
【０００３】
近年では、光ヘッドの一部を構成するレンズとして、主に、光学的特性の安定、コストの低減、および軽量化を目的として、オレフィン系樹脂（例えばシクロオレフィン）、アクリル系樹脂（例えばＰＭＭＡ）、メタクリル系樹脂等の素材からなるものが用いられるようになっている。このようなレンズでは、機械的強度と信頼性を確保するために、レンズ曲面の外周に円環状のフランジ（外輪部）が形成されている。レンズはレンズ取り付け構造に搭載して用いられるが、このレンズ取り付け構造は、レンズが挿入されるレンズ挿入穴と、レンズ挿入穴の内周面から内側に突出し、レンズのフランジを支持するとともにレンズの光軸方向の位置決めを行うためのフランジ載置面を有するフランジ載置部（円環部）と、このフランジ載置部の外周から立ち上がりフランジ載置部を囲む側壁とを有している。
【０００４】
レンズをレンズ取り付け構造に固定するには、レンズをレンズ挿入穴に挿入し、フランジの下面をフランジ載置面に当接させることにより、レンズを保持する。その後に、レンズのフランジの外周面とレンズ取り付け構造の側壁との間に接着剤を注入して固化させる。
【０００５】
ところで、光ヘッドを備えた光記録再生装置は、例えば自動車に搭載されて用いられる場合もあり、周囲温度が−２０〜＋７５℃程度の非常に広い範囲において、様々な光記録媒体の記録または再生が可能であることを望まれることがある。また、最近の光記録再生装置では、光記録媒体にデータを記録する際の記録速度が高速化するとともに、レーザダイオードが高出力化しており、記録時の光ヘッド自体の発熱量が大きくなる傾向にある。このように、光ヘッドは、周囲温度も、それ自体の温度も大きく変化することがある。
【０００６】
光ヘッドの構成部品を固着する接着剤、例えば、前記したようにレンズをレンズ取り付け構造に固着する接着剤は、前記した周囲温度の変化および光ヘッド自体の温度変化の影響を受けやすく、温度上昇により軟化および膨張し、温度降下により硬化および収縮して、形状が変化する。レンズは、この接着剤の形状変化の影響を受けやすい。特に、レンズのフランジの下面とレンズ取り付け構造のフランジ載置面との間隙に接着剤が入り込んで固化している場合、この接着剤が周囲温度の変化や光ヘッド自体の温度変化により膨張したり収縮したりすると、レンズの姿勢が変化してしまう。
【０００７】
光記録再生装置の使用時に、周囲温度の変化や光ヘッド自体の温度変化によりレンズの姿勢が変化すると、レンズの光軸と他の光学部品（例えばレーザダイオード）の光軸がずれて、光ヘッド全体の光学的収差が発生してしまう。これにより、この光ヘッドから出射される光ビームが光記録媒体のデータ記録面に正しく収束されず、光記録媒体へのデータの記録やデータの再生を行うことができなくなるおそれがある。
【０００８】
そこで、このような不都合を解決するレンズ取り付け構造を含むレンズホルダが、特許文献１により提案されている。このレンズ取り付け構造は、対物レンズのフランジと当接して対物レンズの光軸方向の位置決めを行うための円環部と、対物レンズが挿入された際にフランジの外周面との間に微少な隙間を形成するレンズ挿入穴の側壁とを有し、円環部上のレンズ取り付け構造の四隅に当たる対角位置に４つの凹部がそれぞれ形成されている。これらの凹部は、光軸方向に窪んでおり、円環部を径方向において分断している。
【０００９】
このレンズ取り付け構造には、４つの凹部の位置にそれぞれ対応する平面四隅に、レンズ挿入穴に向けて下向きの傾斜を有する複数の接着溝がそれぞれ形成されている。さらに、このレンズ取り付け構造には、レンズ挿入穴の外側においてレンズ取り付け構造の平面に、４つの接着溝を分割するように４つの分割凹部がそれぞれ形成されている。
【００１０】
前記した構成のレンズ取り付け構造のレンズ挿入穴に対物レンズを挿入すると、対物レンズの下側の球面がレンズ取り付け構造の中間穴の中に入り、対物レンズのフランジの下面が、レンズ取り付け構造の円環部の上面と当接することにより、レンズ取り付け構造に対する対物レンズの位置が決まる。そして、レンズ取り付け構造の４つの接着溝にそれぞれ接着剤を注入して固化させることにより、対物レンズが接着固定される。レンズ取り付け構造の４つの接着溝にそれぞれ注入された接着剤は、対物レンズのフランジの外周面とレンズ取り付け構造のレンズ挿入穴の側壁との間の隙間から周囲に拡散する。
【特許文献１】特許第３３１３２６５号公報（［００１８］〜［００７６］、図１３，図１４）
【発明の開示】
【発明が解決しようとする課題】
【００１１】
特許文献１のレンズ取り付け構造には、接着剤の、対物レンズのフランジの下面とレンズ取り付け構造の対物レンズ搭載面との間の隙間への入り込みを防止するために、様々な工夫が施されている。しかし、特許文献１のレンズ取り付け構造は、接着剤が注入される箇所の下方近傍に、対物レンズのフランジの下面が当接する円環部の上面が位置しており、接着剤を対物レンズのフランジの外周面とレンズ取り付け構造のレンズ挿入穴の側壁との隙間から注入するものである。従って、接着剤の一部がフランジの外周面と側壁の間の隙間に残留し、この部分の接着剤は、フランジの外周面と側壁に挟まれて規制された状態になる。この接着剤が固化した後に、周囲温度の変化や光ヘッド自体の温度変化により接着剤が伸縮しようとしても、フランジの外周面と側壁に挟まれているため自由に伸縮できない。その結果、フランジが伸縮しようとする力によって対物レンズに応力が加わることになる。特に、温度変化によって接着剤が膨張すると、対物レンズに圧力が加わり変形や姿勢のずれを引き起こすおそれがある。
【００１２】
また、特許文献１において、レンズ取り付け構造の４つの凹部や４つの分割凹部が形成されていても、接着剤の粘度や注入量、あるいは、対物レンズのフランジの外周面とレンズ取り付け構造のレンズ挿入穴の側壁との間の隙間の狭さ等によっては、凹部からあふれ出た接着剤が凹部に隣接する円環部の平面に拡散したり、接着剤の注入箇所の直下の凹部に流れずに、注入箇所の斜め下方に位置する円環部の平面に直接に拡散したりするおそれがある。このように円環部の平面上に拡散した接着剤が、円環部の平面とフランジの下面または外周面とに挟まれた状態で固化すると、前記したのと同様に、周囲温度の変化や光ヘッド自体の温度変化により接着剤が伸縮した時に、対物レンズに応力を加え、対物レンズの変形や姿勢のずれを引き起こすおそれがある。
【００１３】
そこで本発明は、レンズをレンズ取り付け構造に固定するための接着剤が温度変化によって伸縮しても、レンズの変形や姿勢変化を引き起こさないレンズ取り付け構造と、それを含むレンズホルダおよび光ヘッドと、その光ヘッドを内蔵した光記録再生装置を提供することを目的とする。
【課題を解決するための手段】
【００１４】
本発明は、レンズ曲面の外周にフランジが形成されたレンズが搭載され、接着剤により固着されるレンズ取り付け構造において、レンズを挿入可能なレンズ挿入穴と、レンズ挿入穴の内周面からレンズ挿入穴の内側に向かって部分的に突出し、フランジの下面に当接するフランジ載置面を含むフランジ載置部と、レンズ挿入穴の内周面の上端の、平面的に見てフランジ載置部と異なる位置において、レンズ挿入穴の外側に向かって部分的に切り欠くことによって形成された段部からなり、接着剤が供給される接着剤保持面を含む接着剤保持部と、を有し、接着剤保持面はフランジ載置面以下の高さに位置していることを特徴とする。そして、接着剤保持部は、フランジの下面および外周面と当接または近接対向する面を有していない。
【００１５】
この構成によると、フランジと接着剤保持部には、互いに近接対向する２つの面が存在せず、当然、接着剤が近接対向する面同士の間に挟まれることはない。従って、固化した接着剤が温度変化により伸縮する際に、応力の逃げ場が存在するためレンズには応力がほとんど働かず、レンズの変形や姿勢変化が抑えられる。
【００１６】
複数のフランジ載置部と複数の接着剤保持部を有することが好ましい。そして、複数のフランジ載置部は、レンズ挿入穴の内周に等間隔に形成されており、複数の接着剤保持部は、レンズ挿入穴の内周に等間隔に形成されていてもよい。このようにして、レンズの保持状態をほぼ均一にすることができる。
【００１７】
接着剤保持部は、フランジの下面がフランジ載置面に当接した状態で、接着剤を、フランジの外周面に接触させるとともにフランジ載置部に流れ込まないように保持するように、平面的に見てフランジ載置部に対して間隔をおいて設けられている。この構成によると、接着剤保持部からあふれ出した接着剤がフランジ保持部に流れ込んで、フランジとフランジ保持面またはその近傍の面との間に接着剤が挟み込まれることがない。従って、温度変化に伴う接着剤の伸縮が生じても、レンズの変形や姿勢変化の抑止の信頼性が高い。
【００１８】
本発明のレンズホルダは前記したいずれかの構成のレンズ取り付け構造を備えている。
【００１９】
本発明の光ヘッドは前記したいずれかの構成のレンズ取り付け構造を備えている、レンズはコリメータレンズであり、レンズ取り付け構造はハウジングに形成されていてもよい。
【００２０】
また、本発明の光記録再生装置は、前記した光ヘッドを備えている。
【発明の効果】
【００２１】
本発明によると、簡単な構成で、温度変化に伴う接着剤の伸縮の応力がレンズにほとんど作用しないようにすることができる。その結果、レンズの変形や姿勢変化を抑制することができ、光学系の性能を低下させることがない。そして、本発明のレンズ取り付け構造を採用した光ヘッドおよび光記録再生装置によると、周囲温度や光ヘッド自体の温度が急激に変化した場合であっても、光記録媒体への記録や再生を安定して行うことができる。
【発明を実施するための最良の形態】
【００２２】
以下、本発明の実施の形態について図面を参照して説明する。
【００２３】
［レンズ取り付け構造］
図１は、本発明のレンズ取り付け構造１に固定されるレンズ２の側面図、図２は本発明の一実施形態に係るレンズ取り付け構造１の要部を示す概略斜視図、図３は、図２に示すレンズ取り付け構造１の平面図、図４は、図３のＡ−Ａ線断面図、図５は、図２に示すレンズ取り付け構造１に図１に示すレンズ２を固定した状態を示す平面図、図６は、図５のＢ−Ｂ線断面図、図７は、図５のＣ−Ｃ線断面図である。
【００２４】
まず、本発明のレンズ取り付け構造１に固定されるレンズ２について説明する。図１に示すように、このレンズ２は、オレフィン系樹脂（例えばシクロオレフィン）、アクリル系樹脂（例えばＰＭＭＡ）、メタクリル系樹脂等を原料として、射出成形や押出成形により一体に形成されたもの、または、光学ガラスを原料としてプリフォームを用いたモールド成形により形成されたものである。このレンズ２は、全体形状が略円盤状であり、その上面２ａおよび下面２ｂはレンズ曲面を形成する球面または非球面の凸曲面である。レンズ２の外周には、円環状のフランジ（外輪部）２ｃが設けられている。
【００２５】
図２，３に示す本実施形態のレンズ取り付け構造１は、図１に示すレンズ２を保持し固定するものである。このレンズ取り付け構造１は、レンズ２を挿入可能なレンズ挿入穴３と、レンズ挿入穴３の内周面からレンズ挿入穴３の内側に向かって部分的に突出する複数のフランジ載置部４と、レンズ挿入穴３の内周面上端の、フランジ載置部４とは異なる位置に形成された複数の接着剤保持部５とを有している。レンズ挿入穴３は、レンズ２の平面形状よりも面積および形状が大きな円形の断面形状を有している。
【００２６】
レンズ挿入穴３の内周面上端は、フランジ載置部４とは異なる位置において、レンズ挿入穴３の外側に向かって部分的に切り欠くことによって段部状に加工されており、この段部状になった部分を接着剤保持部５と称している。
【００２７】
フランジ載置部４は、レンズ２のフランジ２ｃの下面２ｃa（図１参照）に当接してこのレンズ２を支持するフランジ載置面４ａを有しており、このフランジ載置面４ａによって、レンズ２は光軸方向（高さ方向）の位置が決められる。なお、図４に示すように、フランジ載置面４ａは、接着剤保持部５の接着剤保持面５ａと同じ高さか、それよりも高い位置にある。
【００２８】
本実施形態では、平面的に見ると、フランジ載置部４はレンズ挿入穴３の内周面において等間隔に３つ形成されており、接着剤保持部５もレンズ挿入穴３の内周面において等間隔に３つ形成され、フランジ載置部４と接着剤保持部５とは互い違いに位置している。フランジ載置部４と接着剤保持部５は、平面的に見て重なる部分はなく、互いに間隔をおいて位置している。
【００２９】
フランジ載置部４は、図５，６に示すように、レンズ２がレンズ挿入穴３に挿入された状態において、フランジ２ｃの下面２ｃaがフランジ載置面４ａ上に載置されて、このレンズ２を支持する。一方、接着剤保持部５は、図７に示すように、レンズ２がレンズ挿入穴３に挿入されてフランジ２ｃの下面２ｃaがフランジ載置面４ａに当接した状態において、フランジ２ａの下面２ｃaにも外周面２ｃbにも全く当接せず近接対向もしていない。なお、接着剤保持部５の接着剤保持面５ａおよびその近傍は、フランジ２ｃの外周面２ｃbおよび下面２ｃaと近接してはいるが、対向してはいない（互いに向かい合ってはいない）。
【００３０】
そして、接着剤６が接着剤保持面５ａ上に供給されて、接着剤保持部５とフランジ２ｃの外周面２ｃbとの間に位置する。この接着剤６が固化されることによって、接着剤６を介して、フランジ２ｃと接着剤保持部５が、すなわちレンズ２とレンズ取り付け構造１が互いに固定される。
【００３１】
この接着剤６の主な性質の一例について説明する。接着剤６は、例えば、主成分が変性アクリレートである紫外線硬化樹脂であり、コーンプレート型粘度計で測定した粘度は１１，５００±２，５００ｍｐａ・ｓ、液比重は１．００±０．１０（ＪＩＳ−Ｋ−６８３３，２３±２℃）である。また、接着剤６は、例えば、ショアＡ硬度が５０±５、ガラス転移点Ｔｇが−３５℃である。ショアＡ硬度とは、ＪＩＳ  Ｋ−７２１５（２３±３℃）のタイプＡデュロメータで測定された硬度をいう。
【００３２】
また、接着剤６の供給量は、例えば０．１２±０．０２ｍｇである。この時、接着剤６の供給量が多く、仮に接着剤保持部５の接着剤保持面５ａからはみ出したとしても、温度変化に伴う接着剤６の伸縮が、レンズ２に変形や姿勢の変化をもたらすことはない。その点について、以下に説明する。
【００３３】
本実施形態では、図６に示すように、フランジ載置部４のフランジ載置面４ａがフランジ２ｃの下面２ｃaに当接しているが、図７に示すように、接着剤保持部５は、フランジ２ｃの下面２ｃaにも外周面２ｃbにも全く当接しておらず、フランジ２ｃの下面２ｃaおよび外周面２ｃbに近接対向する部分も有していない。その結果、温度変化によって接着剤６が膨張または収縮しても、その応力を逃がすことができ、レンズ２に応力を加えることが避けられる。この点について、図８，９に示す参考例を参照して説明する。
【００３４】
仮に、図８に示すように、接着剤６が接着剤保持部５からあふれ出して拡散した時に、あふれ出した接着剤６がフランジ載置部４に到達すると、接着剤６がフランジ載置部４の周面４ｂとフランジ２ｃの間に進入し、その位置で固化する。すなわち、接着剤６は、互いに対向する面（周面４ｂと外周面２ｃb）同士の間に挟まれた状態で固化するため、温度変化に伴って接着剤６が膨張すると、その応力の逃げ場がほとんどない。すなわち、接着剤６が膨張しようとする力は、フランジ載置部４の周面４ｂとフランジ２ｃの外周面２ｃbとの間を押し広げるように作用する。その結果、レンズ２の変形または姿勢の変化が生じる。
【００３５】
また、図９に示す参考例のように、接着剤保持部５の接着剤保持面５ａが、フランジ２ｃの下面２ｃaが載置されるフランジ載置面４よりも高い位置にある場合には、フランジ２ｃの外周面２ｃbが接着剤保持部５の周面５ｂ（レンズ挿入穴３の内周面でもある）と当接または近接対向する。この状態で、接着剤保持面５ａ上の接着剤６が、フランジ２ｃの外周面２ｃbと接着剤保持部５の周面５ｂとの間に進入してその位置で固化することが考えられる。この場合も、接着剤６は、互いに対向する面（周面５ｂと外周面２ｃb）同士の間に挟まれた状態で固化するため、温度変化に伴って接着剤６が膨張すると、その挟まれた位置における応力の逃げ場がほとんどない。すなわち、接着剤６が膨張しようとする力は、接着剤保持部５の周面５ｂとフランジ２ｃの外周面２ｃbとの間を押し広げるように作用し、その結果、レンズ２の変形または姿勢の変化が生じる。
【００３６】
これに対し、本実施形態の構成では、図４，７に示すように、接着剤保持部５の接着剤保持面５ａがフランジ４のフランジ載置面４と同じ高さか、それよりも低い位置にあるため、フランジ２ｃの外周面２ｃbは接着剤保持部５の周面５ｂと当接または近接対向しない。そして、接着剤保持面５ａ上の接着剤６がフランジ２ｃの外周面２ｃbに到達した状態で固化され、フランジ２ｃを移動不能に固定することができる。この状態で、温度変化に伴って接着剤６が膨張したとしても、接着剤６は近接対向する２つの面に挟まれてはおらず、応力の逃げ場がある。具体的には、図７の矢印Ｄ，Ｅで示す方向に応力を逃がすことができる。すなわち、接着剤６は矢印Ｄ，Ｅ方向にほとんどフリーに変形可能であるため、この接着剤６が膨張しようとする圧力は、フランジ２ｃの外周面２ｃbを押す方向にはほとんど働かず、矢印Ｄ，Ｅに沿って開放された空間への膨張を生じさせる。この矢印Ｄ方向への膨張は、レンズ２には影響を及ぼさない。
【００３７】
また、図２，３に示すように、本実施形態のレンズ取り付け構造１では、平面的に見て接着剤保持部５がフランジ載置部４と異なる位置に間隔をおいて配置されており、この接着剤保持部５はフランジ２ｃには全く当接しない。したがって、本実施形態において、仮に接着剤６が接着剤保持部５からあふれ出して拡散したとしても、あふれ出した接着剤６はフランジ載置部４に回り込むことはなく、レンズ挿入穴３を下方へ落下していくだけである。落下した接着剤６は適宜に除去すればよく、仮にレンズ挿入穴３内に残留したとしても、レンズ曲面から外れた位置であるため、光学系としての問題を生じない。図７に示すように、多少の接着剤６がフランジ２ｃの下面２ｃaに付着したとしても、その部分の膨張力は矢印Ｅ方向に逃げるため、レンズ２に応力が加わることはない。
【００３８】
以上説明したとおり、本実施形態では、接着剤保持部５に、フランジ２ｃに近接して対向する（向かい合う）面が存在しない。従って、本実施形態の接着剤保持部５およびフランジ２ｃは、互いに対向する面同士の間に接着剤６が介在して変形が規制される状態にはなり得ない構成である。その結果、温度変化に伴う接着剤６の伸縮が、レンズ２に応力を加える方向にはほとんど作用せず、レンズ２の変形や姿勢変化は抑えられる。
【００３９】
補足すると、接着剤保持部５の上端部の周面５ｃは、フランジ４の外周面２ｃaと対向しているが、近接していない。すなわち、所定量（例えば０．１２±０．０２ｍｇ）の接着剤６が接着剤保持面５ａ上に供給された時に周面５ｃと外周面２ｃaの間を埋めてしまうことがない程度に、周面５ｃを周面５ｂ（レンズ挿入穴３の内周面）から遠ざけておけばよい。これは、レンズ挿入穴３の内周面上端の切り欠き量を増やすことによって容易に可能であり、光学性能に影響を与えることはない。
【００４０】
なお、本発明において、フランジ載置部４および接着剤保持部５の数および位置と接着剤６の供給量は、前記した例に限定されない。一般に、レンズ２の保持および固定状態のバランスをとるために、フランジ載置部４および接着剤保持部５をレンズ挿入穴３の周囲に等間隔に設けるとともに、各接着剤保持部５における接着剤６の保持量を均一にすることが望ましい。しかし、本発明では、温度変化に伴う接着剤６の膨張や収縮がレンズ２の位置および姿勢にほとんど影響を与えないので、必ずしも、接着剤保持部５が等間隔に設けられていなくてもよく、また、接着剤６の供給量は均一でなくてもよい。また、レンズ２のフランジ２ｃやレンズ取り付け構造１の構造上、複数の接着剤保持部５を等間隔に設けることができない場合には、接着剤保持部５への接着剤６の供給量を適宜に調整する（例えば、接着剤保持部５ごとに接着剤６の供給量を変更する）ことにより、レンズ２の固定状態のバランスを保つようにしてもよい。
【００４１】
［光ヘッド］
次に、前記したレンズ取り付け構造１を組み込んだ構成の光ヘッド２４について説明する。
【００４２】
まず、光ヘッド２４の基本構造について説明する。図１０は本実施形態の光ヘッド２４の、カバーを外した状態の内部構造を示す斜視図、図１１は図１０に示す光ヘッド２４の、対物レンズ駆動装置と回路基板２０を外し図１０の裏面側（対物レンズ１４側）から見た斜視図、図１２は光学系を説明するための主要部の分解図、図１３は図１２に示す構成を模式化したブロック図である。
【００４３】
この光ヘッド２４は、マグネシウムやジュラルミンのダイキャストからなるハウジング２５上に、各種の光学部品が取り付けられている。具体的には、図１０に示すように、ハウジング２５の一方の面（筐体の内部に向いた面）上に、光学部品として、第１および第２のレーザダイオード２６，２７と、各レーザダイオード２６，２７の光路上にある第１および第２の回折格子（１／２波長板）２８，２９と、第１および第２の回折格子２８，２９を透過した第１および第２のレーザダイオード２６，２７の光路の交点に位置するダイクロイックプリズム８が取り付けられている。さらに、このハウジング２５上に、ダイクロイックプリズム８を出射した光の光路上に位置する偏光ビームスプリッタ９と、偏光ビームスプリッタ９を出射した光の光路上にあるフロントモニター（受光素子）１７と、偏光ビームスプリッタ９により反射された光の光路上にある反射ミラー１０と、反射ミラー１０による反射光が偏光ビームスプリッタ９を再透過した後の光路上に位置するセンサーレンズ１５およびフォトディテクタ（受光素子）１６が取り付けられている。
【００４４】
また、ハウジング２５の他方の面（筐体の外面）には、反射ミラー１０と位置合わせして、図１２に示すコリメータレンズ２と液晶素子１２と１／４波長板１３とからなる積層体１９が取り付けられ、さらにその積層体１９と光軸を一致させて、対物レンズ駆動装置３１（図１５参照）に搭載された対物レンズ１４が取り付けられている。本実施形態では、このコリメータレンズ２が、前記したレンズ取り付け構造１に取り付けられるレンズ２である（図１，５〜７参照）。図１０に示すように、第１および第２のレーザダイオード２６，２７への電力供給などの働きをする回路基板２０が取り付けられている。
【００４５】
このような構成の光ヘッド２４によると、第１のレーザダイオード２６から出射されたレーザ光（一例では青色レーザ光）は、第１の回折格子２８によって偏光方向が制御され、ダイクロイックプリズム８を透過して、偏光ビームスプリッタ９へ至る。
【００４６】
一方、第２のレーザダイオード（一例ではＣＤ用レーザ光とＤＶＤ用レーザ光を選択的に発光可能な２波長レーザダイオード）２７から出射されたレーザ光（例えばＣＤ用レーザ光またはＤＶＤ用レーザ光）は、第２の回折格子２９によって偏光方向が制御され、ダイクロイックプリズム８により９０度の角度で反射されて、偏光ビームスプリッタ９へ至る。
【００４７】
このように、第１および第２のレーザダイオード２６，２７のいずれから出射されたレーザ光も、偏光ビームスプリッタ９へ導かれる。そして、そのレーザ光は、偏光ビームスプリッタ９によって反射され、さらに反射ミラー１０によって４５度の角度で反射されて、ハウジング２５に設けられた本発明のレンズ取り付け構造１のレンズ挿入穴３を通過し、コリメータレンズ２と液晶素子１２と１／４波長板１３とからなる積層体１９および対物レンズ１４を介して、外部に出射される。
【００４８】
この光ヘッド２４の外部に、例えばＣＤやＤＶＤなどの光記録媒体７（図１３参照）が配置されている場合には、前記したように対物レンズ１４から外部に出射されたレーザ光が、この光記録媒体７に当たって反射される。光記録媒体７による反射光は、再び、対物レンズ１４、積層体１９を通過し、反射ミラー１０によって４５度の角度で反射されて、偏光ビームスプリッタ９へ到達する。そして、この光は、偏光ビームスプリッタ９を透過し、センサーレンズ１５によってフォトディテクタ１６の受光面に集光させられる。そして、フォトディテクタ１６が受光した光の強度に応じて出力する出力信号が、回路基板２０上の電気部品および／または外部回路に伝達されて解析され、光記録媒体７の記録内容が読み取られる。
【００４９】
なお、光記録媒体７への記録を行う場合には、前記したように対物レンズ１４から外部に出射された光を、光記録媒体７の記録トラック上に合焦させることによって書き込む。
【００５０】
この光ヘッド１の初期調整時および使用時には、レーザ光がダイクロイックプリズム８と偏光ビームスプリッタ９を通過して直進し、フロントモニター１７に入射され、フロントモニター１７は、常時レーザ光の強度をモニターする。このフロントモニター１７で受光した強度に基づいてレーザダイオード２６，２７にフィードバックをかけて、常に所望の強度のレーザ光が出射されるように制御することができる。
【００５１】
本実施形態では、図１４に示すように、前記したレンズ取り付け構造１がハウジング２５に形成されている。すなわち、ハウジング２５の、コリメータレンズ２を取り付ける部分が、レンズ挿入穴３とフランジ載置部４と接着剤保持部５を有する構成になっている。そして、図１５に示すように、ハウジング２５に形成されたレンズ取り付け構造１にコリメータレンズ２が取り付けられ、さらに液晶素子１２と１／４波長板１３と対物レンズ１４が取り付けられている。なお、図１５に示す、１／４波長板１３用のホルダ３０と、対物レンズ１４用の対物レンズ駆動装置３１については、本発明による新規な構成ではないため説明を省略する。
【００５２】
この光ヘッド２４によると、周囲温度の変化や光ヘッド２４自体の温度変化に起因する接着剤６の膨張や収縮による影響を受けず、コリメータレンズ２の形状および姿勢を一定に保持することができる。従って、光ヘッド２４全体の光学的収差の発生を低く抑えることができ、信頼性が向上する。
【００５３】
なお、この光ヘッド２４の変形例として、対物レンズ１４を取り付けるレンズホルダである対物レンズ駆動装置３１に、前記したレンズ取り付け構造１（図２〜７参照）を組み込む構成を採用することもできる。本発明では、図１０に示すようにコリメータレンズ２を取り付けるハウジング２５と、図１５に示すように対物レンズ１４を取り付ける対物レンズ駆動装置３１のいずれか一方、または両方に、前記したレンズ取り付け構造１を組み込むことができる。
【００５４】
［光記録再生装置］
図１６は、前記した本発明の光ヘッド２４を含む光記録再生装置の構成を示す概略図である。この光記録再生装置は、主に、前記した構成の光ヘッド２４と、スピンドルモータ４２と、コントローラ４３と、レーザ駆動回路４４と、レンズ駆動回路４５とから構成されている。
【００５５】
スピンドルモータ４２は、コントローラ４３の制御の下で、光ディスク（光記録媒体）７を回転駆動する。コントローラ４３は、光ヘッド４１から供給されるフォトディテクタ検出信号に基づいて、スピンドルモータ４２、レーザ駆動回路４４、およびレンズ駆動回路４５を制御する。レーザ駆動回路４４は、コントローラ４３の制御の下で、光ヘッド２４を構成する光源であるレーザダイオード２６，２７（図１０〜１３参照）を駆動するためのレーザ駆動信号を生成し、光ヘッド２４に供給する。レンズ駆動回路４５は、コントローラ４３の制御の下で、光ヘッド２４を構成する対物レンズ１４（図１２，１３参照）のフォーカシング、トラッキング、およびチルトを制御するためのレンズ駆動信号を生成し、光ヘッド２４に供給する。
【００５６】
コントローラ４３は、フォーカスサーボ追従回路４７と、トラッキングサーボ追従回路４８と、スキュー調整回路４９と、レーザコントロール回路５０とを有している。フォーカスサーボ追従回路４７は、光ヘッド２４から供給されるフォトディテクタ検出信号に基づいて、回転している光ディスク７の情報記録面に光ヘッド２４から出射された光ビームのフォーカスをかけるためのフォーカスサーボ信号を生成し、レンズ駆動回路４５に供給する。
【００５７】
トラッキングサーボ追従回路４８は、光ヘッド２４から供給されるフォトディテクタ検出信号に基づいて、光ディスク７の偏心している信号トラックに対して、光ヘッド２４から出射された光ビームのビームスポットを追従させるためのトラッキングサーボ信号を生成し、レンズ駆動回路４５に供給する。スキュー調整回路４９は、光ヘッド２４から供給されるフォトディテクタ検出信号に基づいて、光ヘッド２４を構成する対物レンズ１４をラジアル方向やタンジェンシャル方向に傾斜させるためのスキュー調整信号を生成し、レンズ駆動回路４５に供給する。レーザコントロール回路５０は、光ヘッド２４から供給されるフォトディテクタ検出信号から抽出された光ディスク７に記録されている記録条件設定情報に基づいて、適切なレーザ駆動信号の生成を行う。
【００５８】
このような本発明の光ヘッド２４を含む光記録再生装置は、周囲温度または光ヘッド自体の温度が急激に変化した場合であっても、光記録媒体７にデータの記録または再生を安定して行うことができる。
【００５９】
なお、前記した例では、２つの光源（レーザダイオード２６，２７）が設けられている光ヘッド２４と、この光ヘッド２４が１個のみ設けられている光記録再生装置を示したが、これに限定されない。本発明は、３つ以上の光源、または単一の光源が設けられている光ヘッドや、光ヘッドが複数個設けられている光記録再生装置にも適用することができる。
【００６０】
以上、本発明の実施形態について図面を参照して詳述してきたが、具体的な構成は本実施形態のみに限られるものではなく、本発明の要旨を逸脱しない範囲の設計の変更等があっても本発明に含まれる。
【図面の簡単な説明】
【００６１】
【図１】本発明のレンズ取り付け構造に固定されるレンズの側面図である。
【図２】本発明の一実施形態に係るレンズ取り付け構造の要部を示す概略斜視図である。
【図３】図２に示すレンズ取り付け構造の平面図である。
【図４】図３のＡ−Ａ線断面図である。
【図５】図２に示すレンズ取り付け構造に図１に示すレンズを固定した状態を示す平面図である。
【図６】図５のＢ−Ｂ線断面図である。
【図７】図５のＣ−Ｃ線断面図である。
【図８】第１の参考例のレンズ取り付け構造にレンズを固定した状態を示す平面図である。
【図９】第２の参考例のレンズ取り付け構造にレンズを固定した状態を示す平面図である。
【図１０】本発明の光ヘッドの、カバーを外した状態の斜視図である。
【図１１】図１０に示す光ヘッドの、対物レンズ駆動装置と回路基板を外した状態の、図１０と反対側から見た斜視図である。
【図１２】図１０，１１に示す光ヘッドの光学部品の関係を示す説明図である。
【図１３】図１２に示す光学部品の関係をより簡略化して示す模式図である。
【図１４】図１０に示す光ヘッドのハウジングを示す斜視図である。
【図１５】図１４に示すハウジングへの光学部品の取り付けを示す要部の分解斜視図である。
【図１６】本発明の光ヘッドを含む光記録再生装置の構成を示す概略図である。
【符号の説明】
【００６２】
１      レンズ取り付け構造
２      レンズ（コリメータレンズ）
２ｃ    フランジ
３      レンズ挿入穴
４      フランジ載置部
４ａ    フランジ載置面
５      接着剤保持部
５ａ    接着剤保持面
６      接着剤
７      光記録媒体（光ディスク）
８      ダイクロイックプリズム
９      偏光ビームスプリッタ
１０    反射ミラー
１２    液晶素子
１３    １／４波長板
１４    対物レンズ
１５    センサーレンズ
１６    フォトディテクタ（受光素子）
１７    フロントモニター（受光素子）
１９    積層体
２０    回路基板
２４    光ヘッド
２５    ハウジング
２６，２７      第１および第２のレーザダイオード
２８，２９      第１および第２の回折格子（１／２波長板）
３０    ホルダ
３１    対物レンズ駆動装置
４２    スピンドルモータ
４３    コントローラ
４４    レーザ駆動回路
４５    レンズ駆動回路
４７    フォーカスサーボ追従回路
４８    トラッキングサーボ追従回路
４９    スキュー調整回路
５０    レーザコントロール回路
【図１】
2008077703.tif 000003
【図２】
2008077703.tif 000004
【図３】
2008077703.tif 000005
【図４】
2008077703.tif 000006
【図５】
2008077703.tif 000007
【図６】
2008077703.tif 000008
【図７】
2008077703.tif 000009
【図８】
2008077703.tif 000010
【図９】
2008077703.tif 000011
【図１０】
2008077703.tif 000012
【図１１】
2008077703.tif 000013
【図１２】
2008077703.tif 000014
【図１３】
2008077703.tif 000015
【図１４】
2008077703.tif 000016
【図１５】
2008077703.tif 000017
【図１６】
2008077703.tif 000018